(57)【要約】【課題】押圧操作によりドーム部が押圧されたときにおける空気溜まり室の天井部の変形による異常音の発生を極力防止する。【解決手段】基板２の一面側を覆うラバーシート５に、固定接点３を覆い、内部に可動接点１１を有するドーム部７と、素子４を覆う空気溜まり室１２と、ドーム部７の内部と空気溜まり室１２の内部とを連通する通気路１７とを設ける。空気溜まり室１２の周壁部１３に、操作部材１８の押圧部１９への押圧操作により、ドーム部７の内部に存する空気が通気路１７を介して空気溜まり室１２に移動したときに、空気溜まり室１２の天井部１４を基板２に対して離間するように伸びる伸縮部１５を設ける。【選択図】図１
2010062118.tif 000002
【特許請求の範囲】
【請求項１】
一面に固定接点を有する基板と、
前記基板の一面側を覆うように設けられたラバーシートと、
このラバーシートに前記固定接点を覆うドーム状をなすように設けられた弾性変形可能なドーム部と、
このドーム部の内面に設けられ、前記ドーム部の弾性変形に伴い前記固定接点に対して接離する可動接点と、
前記ラバーシートにおける前記ドーム部以外の部位に、前記基板から離れる方向へ膨出形成され、前記ラバーシートに連なる周壁部と、この周壁部の上部に連なる天井部とを有して中空状をなす空気溜まり室と、
前記ドーム部の内部と前記空気溜まり室の内部とを連通するように設けられた通気路と、
前記ドーム部を押圧操作するように設けられた操作部材とを具備したスイッチ装置において、
前記空気溜まり室の前記周壁部に、前記天井部が前記基板に対して離間及び近接するように伸縮する伸縮部を設けたことを特徴とするスイッチ装置。
【発明の詳細な説明】
【技術分野】
【０００１】
本発明は、操作部に対する押圧操作に伴って弾性変形するドーム部を有したスイッチ装置に関する。
【背景技術】
【０００２】
従来より、例えば自動車で使用されるスイッチ装置には、押圧操作に伴って弾性変形するドーム部を有した構成が採用されている。
ドーム部を有するスイッチ装置としては、例えば特許文献１のものがある。このスイッチ装置は、固定接点を有する基板（プリント基板）を覆うようにラバーシート（弾性ゴム）が設けられ、このラバーシートに固定接点を覆うドーム状をなすドーム部（スイッチ室）が設けられ、このドーム部の内面に、可動接点（導電性シリコーンゴム）が設けられて構成されている。そして、ドーム部が押圧操作されて弾性変形することにより、可動接点が固定接点に対して接離する構成になっている。
【０００３】
又、このスイッチ装置には、ドーム部とは別の位置に、空気が溜められている空気溜まり室が設けられており、ドーム部の内部と空気溜まり室の内部とが通気路（空気路）によって連通されている。
【０００４】
この構成のスイッチ装置は、押圧操作によりドーム部が押圧されたときには、ドーム部の内部に存する空気は押出されて空気溜まり室に移動し、又、ドーム部への押圧操作が解除されたときには、ドーム部が押圧操作前の状態に復元しようとして、空気溜まり室の内部の空気がドーム部の内部に吸込まれる。そして、空気溜まり室を設けたことにより、ドーム部の内部の空気の出入りが容易になり、押圧操作がし易くなるとされている。
【特許文献１】実公昭５８−２０４３６号公報
【発明の開示】
【発明が解決しようとする課題】
【０００５】
この構成のスイッチ装置は、押圧操作によりドーム部が押圧されてドーム部内の空気が空気溜まり室に送られると、空気溜まり室が膨れ上がり、このときに空気溜まり室の天井部も外側方向へ膨出変形してしまうことがある。そして、この空気溜まり室の天井部の膨出変形及び復元の変形の際に、ぺこ付き音の異常音が発生してしまうことがある。
【０００６】
本発明は、上記の事情に鑑みてなされたものであり、その目的は、押圧操作によりドーム部が押圧されたときにおける空気溜まり室の天井部の変形による異常音の発生を極力防止することができるスイッチ装置を提供することである。
【課題を解決するための手段】
【０００７】
上記目的を達成するために、本発明のスイッチ装置は、一面に固定接点を有する基板と、前記基板の一面側を覆うように設けられたラバーシートと、このラバーシートに前記固定接点を覆うドーム状をなすように設けられた弾性変形可能なドーム部と、このドーム部の内面に設けられ、前記ドーム部の弾性変形に伴い前記固定接点に対して接離する可動接点と、前記ラバーシートにおける前記ドーム部以外の部位に、前記基板から離れる方向へ膨出形成され、前記ラバーシートに連なる周壁部と、この周壁部の上部に連なる天井部とを有して中空状をなす空気溜まり室と、前記ドーム部の内部と前記空気溜まり室の内部とを連通するように設けられた通気路と、前記ドーム部を押圧操作するように設けられた操作部材とを具備したスイッチ装置において、前記空気溜まり室の前記周壁部に、前記天井部が前記基板に対して離間及び近接するように伸縮する伸縮部を設けたことを特徴としている。
【発明の効果】
【０００８】
本発明のスイッチ装置よれば、空気溜まり室の周壁部に、天井部が基板に対して離間及び近接するように伸縮する伸縮部を設けたので、操作部材の押圧操作によりドーム部が押圧されてドーム部内の空気が空気溜まり室に送られたときに、空気溜まり室の伸縮部が伸びて、空気溜まり室の容積が大きくなる。これにより、ドーム部内の空気が空気溜まり室に送られても、空気溜まり室の天井部が外側方向へ膨出変形してしまうことがなく、空気溜まり室の天井部の変形による異常音の発生を極力防止することができる。
【発明を実施するための最良の形態】
【０００９】
以下、本発明を自動車に用いられるスイッチ装置、例えばデフォッガーのスイッチ装置に適用した一実施形態について、図面を参照しながら説明する。
図１及び図２に示すスイッチ装置１の基板２は、矩形板状をなしていて、この基板２の一面である前面には、一対の固定接点３が設けられ、他にも、抵抗部品やＬＥＤ等の素子４が配設されている。尚、図示はしないが、基板２の前面には、配線パターンが固定接点３に電気的に接続して設けられている。
基板２の前面側には、この基板２の前面側を覆うようにラバーシート５が設けられている。ラバーシート５は、弾性を有する材料、例えばシリコーンゴムにより形成されており、基板２上に配置される平坦面６を有している。
【００１０】
ラバーシート５における固定接点３に対応する部分には、この固定接点３を覆うドーム状をなして弾性変形可能なドーム部７が設けられている。ドーム部７は、具体的には、ラバーシート５の平坦面６から前方に半球状に膨出した変形部８と、この変形部８の前端部から更に前方に突出した円柱状の被押圧部９とから構成されている。そして、ドーム部７における変形部８の半球の中心に固定接点３が位置している。これにより、ドーム部７の内部に空間１０が形成されると共に、ラバーシート５における固定接点３に対応する部分に、空間１０を介して被押圧部９が配置された構成になる。
【００１１】
ドーム部７の内面にあって被押圧部９の反対側には、ドーム部７の変形部８の弾性変形に伴い、固定接点３に対して接離する可動接点１１が設けられている。
ラバーシート５のドーム部７以外の部位、この場合、前記素子４に対応する部分には、この素子４を覆うように、中空状をなす空気溜まり室１２が形成されている。空気溜まり室１２は、基板２から離れる方向へ膨出成形されており、ラバーシート５の平坦面６から前方に膨出し、背面側が開口した矩形箱状をなしている。この空気溜まり室１２は、具体的には、ラバーシート５の平坦面６に連なる周壁部１３と、この周壁部１３の上部に連なる天井部１４とを有して構成されている。更に、この空気溜まり室１２の周壁部１３には、空気溜まり室１２の天井部１４が基板２に対して離間及び近接するように伸縮する蛇腹状の伸縮部１５が形成されている。又、空気溜まり室１２の内部に、空間１６が形成された構成である。
【００１２】
ラバーシート５の背面には、図３にも示すように、ドーム部７の内部（空間１０）と空気溜まり室１２の内部（空間１６）とを連通するように通気路１７が設けられている。この通気路１７は、ラバーシート５の背面側から前方側に凹む溝である。
ラバーシート５の前方側には、図１及び図２に示すように、ラバーシート５を覆うように操作部材１８が設けられている。操作部材１８は、後方側が開口した矩形箱状をなしている。操作部材１８の前面の平坦部分は、使用者が押圧する押圧部１９として機能する。押圧部１９の表面には、スイッチ装置１の用途、この場合、デフォッガーの働きを示すマークが付されている。
【００１３】
操作部材１８の背面には、この背面から垂直にドーム部７の被押圧部９の前面部まで延び、先端部が被押圧部９の前面に当接する押圧伝達部２０が形成されている。そして、操作部材１８の押圧部１９が押圧操作されると、押圧伝達部２０がドーム部７の被押圧部９を押圧する構成になっている。
【００１４】
操作部材１８の外周には、内部に操作部材１８が収容される角筒状のスイッチケース２１が設けられている。これにより、操作部材１８は、摺動方向が前後方向のみに規制された構成になっている。
【００１５】
次に、上記構成の作用と効果について述べる。
例えば、自動車の窓ガラスが水蒸気で曇った場合に、デフォッガーのスイッチ装置１における操作部材１８の押圧部１９が押圧操作されると、押圧伝達部２０がドーム部７の被押圧部９を押圧する。この被押圧部９が押圧操作されると、変形部８が押し潰されるように弾性変形して、可動接点１１が一対の固定接点３に接触し、一対の固定接点３間が導通してスイッチがオン状態になる。すると、このオン信号が配線パターン等の回路を介して車両本体側に送られ、窓ガラスに設けられたヒータ（図示せず）が駆動して、窓ガラスの曇りの除去が行われる。
【００１６】
ここで、操作部材１８の押圧部１９への押圧操作により、ドーム部７が押圧されたときには、ドーム部７の内部（空間１０）に存する空気は、押出されて、通気路１７を介して空気溜まり室１２の内部（空間１６）に移動し、空気溜まり室１２の内圧が高くなる。この場合、本実施形態においては、空気溜まり室１２の周壁部１３に伸縮部１５が設けられており、この伸縮部１５が伸びやすい蛇腹状の構造となっているので、天井部１４が基板２に対して離間するように伸びることとなり、空気溜まり室１２の天井部１４が外側方向へ膨出変形してしまうことはない。この結果、空気溜まり室１２の天井部１４の変形による、ぺこ付き音の異常音の発生を極力防止することができる。
【００１７】
操作部材１８の押圧部１９の押圧操作が解除されて、ドーム部７への押圧操作が解除されたときには、ドーム部７が押圧操作前の状態に復元しようとして、空気溜まり室１２の内部の空気がドーム部７の内部に吸込まれる。このとき、空気溜まり室１２の内圧は低くなり、空気溜まり室１２の周壁部１３の伸縮部１５は、天井部１４が基板２に対して近接するように縮み、空気溜まり室１２の容積は小さくなる。この場合、操作部材１８の押圧部１９の押圧操作のときに空気溜まり室１２の天井部１４がもともと膨出していないので、空気溜まり室１２の天井部１４が内側方向へ復元するといった変形は生じない。よって、操作部材１８の押圧操作の解除のときにおいても、空気溜まり室１２の天井部１４の変形による異常音の発生を極力防止することができる。
【００１８】
尚、本発明は上記実施形態にのみ限定されるものではなく、次のように変形または拡張できる。
伸縮部１５は、空気溜まり室１２の天井部１４が基板に対して離間及び近接するように伸縮する構成であれば、蛇腹状ではなく、例えば伸び縮みし易い薄肉状であっても良い。
通気路１７は、溝の形状ではなく、貫通孔でも良い。
上記実施形態のスイッチ装置１は、自動車用のスイッチ装置に限定されず、構成的に同様の事情を有するスイッチ装置一般として広く適用できる。
その他、上記した構成部品の数、材料等について、適宜変更することができる。
【図面の簡単な説明】
【００１９】
【図１】本発明の一実施形態を示すスイッチ装置の縦断面図
【図２】基板とラバーシートと操作部材とスイッチケースの分解斜視図
【図３】ラバーシートを裏側から見た斜視図
【符号の説明】
【００２０】
図面中、１はスイッチ装置、２は基板、３は固定接点、５はラバーシート、７はドーム部、１１は可動接点、１２は空気溜まり室、１３は周壁部、１４は天井部、１５は伸縮部、１７は通気路、１８は操作部材を示す。
【図１】
2010062118.tif 000003
【図２】
2010062118.tif 000004
【図３】
2010062118.tif 000005